(57)【要約】【課題】モアレを低減できる表示装置及び電子機器を提供する。【解決手段】複数の画素を含む表示パネルと、前記表示パネルに対向して配置されたレンチキュラレンズとを備え、前記レンチキュラレンズは、第１方向に沿って延び、且つ前記第１方向とは異なる第２方向に並ぶ複数のプリズムを備え、前記複数のプリズムの各々に対向する前記画素の数が、前記第２方向において２つ以上であり、前記複数のプリズムの各々は、平面からなり、且つ、相互に平行でない２つ以上の屈折面を備える。【選択図】図３
2013235029.tif 000002
【特許請求の範囲】
【請求項１】
複数の画素を含む表示パネルと、
前記表示パネルに対向して配置されたレンチキュラレンズとを備え、
前記レンチキュラレンズは、
第１方向に沿って延び、且つ、前記第１方向とは異なる第２方向に並ぶ複数のプリズムを備え、前記複数のプリズムの各々に対向する前記画素の数が、前記第２方向において２以上であり、
前記複数のプリズムの各々は、
平面からなり、且つ、相互に平行でない２以上の屈折面を備える、
表示装置。
【請求項２】
前記第２方向における前記複数のプリズムの各々に対向する前記画素の数が、前記複数のプリズムの各々が備える屈折面の数の整数倍となる部分を含む
請求項１に記載の表示装置。
【請求項３】
前記第２方向における前記複数のプリズムの各々に対向する前記画素の数が、前記複数のプリズムの各々が備える屈折面の数と等しい部分を含む
請求項１に記載の表示装置。
【請求項４】
前記複数のプリズムの各々にて、
前記２以上の屈折面が前記第２方向において相互に等しい間隔で配置される
請求項１に記載の表示装置。
【請求項５】
前記複数のプリズムの各々が、多角柱形状に形成されている
請求項１に記載の表示装置。
【請求項６】
前記複数のプリズムの各々が、フレネルプリズムである
請求項１に記載の表示装置。
【請求項７】
前記第１方向が、前記第２方向の法線方向とは異なる
請求項１に記載の表示装置。
【請求項８】
前記複数のプリズムの各々は、単一の画素から放射される光の一部を全ての前記２以上の屈折面で単一の方向に偏向するように形成されている
請求項１に記載の表示装置。
【請求項９】
前記レンチキュラレンズは、樹脂材料からなる
請求項１に記載の表示装置。
【請求項１０】
表示パネルと、
前記表示パネルに対向して配置されたレンチキュラレンズとを備え、
前記レンチキュラレンズは、
第１方向に沿って延び、且つ、前記第１方向とは異なる第２方向に並ぶ複数のプリズムを備え、
前記複数のプリズムの各々は複数の屈折面を備え、
前記複数の屈折面は平面である
表示装置。
【請求項１１】
表示部を備え、前記表示部が、
複数の画素を含む表示パネルと、
前記表示パネルに対向して配置されたレンチキュラレンズとを備え、
前記レンチキュラレンズは、
第１方向に沿って延び、且つ、前記第１方向とは異なる第２方向に並ぶ複数のプリズムを備え、前記複数のプリズムの各々に対向する前記画素の数が、前記第２方向において２以上であり、
前記複数のプリズムの各々は、
平面からなり、且つ、相互に平行でない２以上の屈折面を備える、
電子機器。
【発明の詳細な説明】
【技術分野】
【０００１】
本開示の技術は、複数の画像の各々を相互に異なる視点に表示する表示装置、及び、電子機器に関する。
【背景技術】
【０００２】
レンチキュラレンズは、相互に異なる方向に画像を表示する光学素子として利用されている。例えば、特許文献１に記載の表示装置では、表示パネルの表示側に配置されるレンチキュラレンズが、単一の方向に配列された複数のシリンドリカルレンズを備えて、三次元の画像を表示する光学素子として利用されている。
【０００３】
上記の表示装置におけるシリンドリカルレンズは、表示パネルの画素からシリンドリカルレンズに入射する光に所定の指向性を与える。例えば、右眼用の画素からシリンドリカルレンズに入射する光は、右眼用の画素から右眼用の視点に向けて偏向される。左眼用の画素からシリンドリカルレンズに入射する光は、左眼用の画素から左眼用の視点に向けて偏向される。結果として、表示パネルの表示する右眼用の画像は右眼で認識されて、表示パネルの表示する左眼用の画像は左眼で認識されるから、観測者には立体感を有する画像が与えられる。
【０００４】
ところで、このようなシリンドリカルレンズを備えた表示装置では、表示装置と観察者との位置関係によっては、モアレが発生するおそれがある。そこで、このような表示装置に関して、モアレの低減を図るいくつかの提案がなされている。特許文献１では、モアレの発生を低減するために、例えば拡散板をシリンドリカルレンズの前方に配置する表示装置が提案されている。
【先行技術文献】
【特許文献】
【０００５】
【特許文献１】特開平９−１３３８９３号公報
【発明の概要】
【発明が解決しようとする課題】
【０００６】
このような表示装置では、モアレが殆ど見えなくなるのが望ましく、モアレのさらなる低減が期待されている。
本開示はかかる問題点に鑑みてなされたもので、その目的は、モアレを低減できる表示装置及び電子機器を提供することにある。
【課題を解決するための手段】
【０００７】
本開示における表示装置の一態様は、複数の画素を含む表示パネルと、前記表示パネルに対向して配置されたレンチキュラレンズとを備える。ここで、前記レンチキュラレンズは、第１方向に沿って延び、且つ、前記第１方向とは異なる第２方向に並ぶ複数のプリズムを備え、前記複数のプリズムの各々に対向する前記画素の数が、前記第２方向において２つ以上である。前記複数のプリズムの各々は、平面からなり、且つ、相互に平行でない２つ以上の屈折面を備える。
【０００８】
本開示における表示装置の一態様は、表示パネルと、前記表示パネルに対向して配置されたレンチキュラレンズとを備え、前記レンチキュラレンズは、第１方向に沿って延び、且つ、前記第１方向とは異なる第２方向に並ぶ複数のプリズムを備え、前記複数のプリズムの各々は複数の屈折面を備え、前記複数の屈折面は平面である。
【０００９】
本開示における電子機器の一態様は、表示部を備え、前記表示部が、複数の画素を含む表示パネルと、前記表示パネルに対向して配置されたレンチキュラレンズとを備える。ここで、前記レンチキュラレンズは、第１方向に沿って延び、且つ、前記第１方向とは異なる第２方向に並ぶ複数のプリズムを備え、前記複数のプリズムの各々に対向する前記画素の数が、前記第２方向において２つ以上である。前記複数のプリズムの各々は、平面からなり、且つ、相互に平行でない２つ以上の屈折面を備える。
【発明の効果】
【００１０】
本開示における技術の一態様によれば、プリズムに対向する各画素は、プリズムに向けて光を放射する。そして、プリズムの各屈折面に入射した光の一部は、画素ごとに定められる単一の方向である偏向方向に偏向される。それゆえに、プリズムに対する相対位置が画素の配列方向にて相互に異なる各画素は、相互に異なる方向に画像を表示し、プリズムに対する相対位置が画素の配列方向にて相互に略等しい各画素は、相互に等しい方向に画像を表示する。結果として、上述のプリズムが第２方向に並ぶレンチキュラレンズによれば、複数の画像が相互に異なる方向に表示される。
【００１１】
一方で、プリズムの備える各屈折面が平面であるから、単一の画素から各屈折面に放射される光は、画素ごとに定められる上述の偏向方向だけでなく、それ以外の方向にも偏向される。それゆえに、プリズムが上述の指向性を与えるとは言え、単一の画素から放射されて上述の偏向方向に偏向された光の周辺には、同じ画素から放射された光が分散される。結果として、複数の画像の各々が相互に異なる方向に表示される際にモアレが生じることを抑えることが可能となる。
【図面の簡単な説明】
【００１２】
【図１】本開示における表示装置の第１実施形態の全体構成を示す構成図である。
【図２】第１実施形態での画素に対するプリズムの相対位置を示す拡大平面図である。
【図３】第１実施形態でのプリズムの側面構造を示す側面図である。
【図４】第１実施形態でのプリズムの偏向の態様を示す光路図である。
【図５】本開示における表示装置の第２実施形態でのプリズムの側面構造を示す側面図である。
【図６】第２実施形態でのプリズムの偏向の態様を示す光路図である。
【図７】第１実施例のプリズムで偏向された光の輝度分布を示すグラフである。
【図８】第２実施例のプリズムで偏向された光の輝度分布を示すグラフである。
【図９】第３実施例のプリズムで偏向された光の輝度分布を示すグラフである。
【図１０】第４実施例のプリズムで偏向された光の輝度分布を示すグラフである。
【図１１】第５実施例のプリズムで偏向された光の輝度分布を示すグラフである。
【図１２】第６実施例のプリズムで偏向された光の輝度分布を示すグラフである。
【図１３】比較例のプリズムで偏向された光の輝度分布を示すグラフである
【図１４】第１変形例でのプリズムの偏向の態様を示す光路図である。
【図１５】第２変形例でのプリズムの側面構造を示す側面図である。
【図１６】第３変形例でのプリズムの側面構造を示す側面図である。
【図１７】第４変形例でのプリズムの側面構造を示す側面図である。
【図１８】第５変形例でのプリズムの側面構造を示す側面図である。
【図１９】第６変形例でのプリズムの側面構造を示す側面図である。
【図２０】第７変形例での画素に対するプリズムの相対位置を示す拡大平面図である。
【図２１】本開示の電子機器の一例である電子書籍端末の斜視図である。
【図２２】本開示の電子機器の一例であるパーソナルコンピューターの斜視図である。
【図２３】本開示の電子機器の一例であるテレビジョンの斜視図である。
【図２４】本開示の電子機器の一例であるデジタルスチルカメラの斜視図である。
【図２５】本開示の電子機器の一例であるデジタルスチルカメラの平面図である。
【図２６】本開示の電子機器の一例であるデジタルビデオカメラの斜視図である。
【図２７】本開示の電子機器の一例である携帯電話端末の斜視図である。
【図２８】本開示の電子機器の一例である携帯電話端末の斜視図である。
【図２９】本開示の電子機器の一例である携帯ゲーム機の平面図である。
【発明を実施するための形態】
【００１３】
［第１実施形態］
以下に、本開示における表示装置の第１実施形態について説明する。まず、表示装置の全体的な構成について図１を参照して説明する。なお、図１では、表示装置の全体的な構成を説明するために、表示装置を構成する各構成要素が誇張されている。
【００１４】
図１に示されるように、表示装置１０の備える表示パネル１１は、２次元画像を表示面１２に生成し、例えば、有機ＥＬ表示パネルや液晶表示パネルを含む。表示面１２には、相互に異なる２つの方向である行方向Ｘと列方向Ｙとに沿って複数の画素１３が配列されている。表示面１２は、列方向Ｙに沿って延びる複数の信号線ＬＨと、行方向Ｘに沿って延びる複数の走査線ＬＷとを備えて、複数の画素１３の各々は、信号線ＬＨと走査線ＬＷとの交差部に配置されている。
【００１５】
表示装置１０の備える映像信号処理部１７は、フレームメモリ１８とタイミング制御部１６とに接続されている。フレームメモリ１８は、信号線駆動回路１４に接続されて、タイミング制御部１６は、信号線駆動回路１４と走査線駆動回路１５とに接続されている。
【００１６】
映像信号処理部１７は、外部からの映像信号を処理して時分割映像信号を生成し、時分割映像信号をフレームメモリ１８に出力する。映像信号処理部１７は、信号線駆動回路１４の駆動のタイミングと走査線駆動回路１５の駆動のタイミングとを制御するタイミング信号をタイミング制御部１６に出力する。タイミング制御部１６は、信号線駆動回路１４を駆動する駆動信号を信号線駆動回路１４に出力し、また、走査線駆動回路１５を駆動する駆動信号を走査線駆動回路１５に出力する。走査線駆動回路１５は、タイミング制御部１６からタイミング信号を入力するたびに、走査線ＬＷを線順次走査する。信号線駆動回路１４は、タイミング制御部１６からタイミング信号を入力するたびに、単一の走査線ＬＷに接続される複数の画素１３の各々に、時分割映像信号に基づく駆動信号を供給する。
【００１７】
ここで、画像が表示される視点のうちで相互に異なる視点の数を視点数とする。時分割映像信号が生成される際に、映像信号処理部１７は、線順次走査の１周期分の画素１３の各々に視点を割り付ける。例えば、相互に異なる９つの視点に画像が表示されるとする。映像信号処理部１７は、行方向Ｘに配列された全ての画素１３の各々に第１の視点から第９の視点までのいずれか１つを割り付ける。この際に、第１の視点から第９の視点までの割り付けは、行方向Ｘの一端の画素１３から行方向Ｘの他端の画素１３に向けて繰り返される。これによって、９つの視点に表示される９つの画像が１つの表示画像として合成されて、こうした合成画像が表示面１２に生成される。
【００１８】
表示装置１０の備えるレンチキュラレンズ２０は、表示パネル１１の表示面１２に対向している。レンチキュラレンズ２０は、複数の第１プリズム２１を備え、各第１プリズム２１は第１方向Ｄ１に沿って延び、且つ、第１方向Ｄ１と直交する第２方向Ｄ２に並んで配列されている。第１方向Ｄ１と第２方向Ｄ２との各々は、行方向Ｘと列方向Ｙとに交差している。
【００１９】
図２に示されるように、複数の第１プリズム２１の各々は、画素１３が配列された２つの方向である行方向Ｘと列方向Ｙとのうち、行方向Ｘにおいて２つ以上の画素１３に対向する。具体的には、複数の第１プリズム２１の各々は、行方向Ｘにおいて９つの画素１３に対向している。ここで、第１方向Ｄ１と列方向Ｙとのなす角度が傾斜角θとして設定され、第１プリズム２１における第２方向Ｄ２の幅がプリズム幅Ｗｐとして設定される。また、行方向Ｘに配列された画素１３のうち、複数の第１プリズム２１の各々に対向している画素１３の数が単位画素数として設定される。この場合に、上述の傾斜角θとプリズム幅Ｗｐとは、単位画素数と視点数とが等しくなる角度に定められる。ここでは、複数の第１プリズム２１の各々が行方向Ｘで９つの画素１３に対向して、９つの視点の各々に画像が表示されるように、傾斜角θとプリズム幅Ｗｐとが定められる。
【００２０】
なお、単一の第１プリズム２１に対向する画素１３は、表示面１２の法線方向にて、単一の第１プリズム２１と少なくとも一部で重なっている。また、上述の単位画素数は、第１プリズム２１における第１方向Ｄ１の全体で同じであってもよいし、第１プリズム２１における第１方向Ｄ１の一部分と残部とで異なってもよい。
【００２１】
第１プリズム２１は、第１方向Ｄ１に沿って延びる多角柱形状に形成されている。第１プリズム２１にて、表示面１２と対向する側面とは反対側の側面は、第１方向Ｄ１に沿って延びて相互に平行でない平面である９つの屈折面２１ａを備えている。
【００２２】
９つの屈折面２１ａの各々では、相互に隣接する屈折面２１ａ同士が、第１方向Ｄ１に延びる端辺同士で連結されている。単一の第１プリズム２１における屈折面２１ａの数が単位面数として設定される場合に、上述の単位画素数は、単位面数以上でもよいし、単位面数より小さくてもよい。
【００２３】
なお、複数の視点の各々で表示される画像の識別性が高められる観点から、単位画素数は、単位面数の整数倍であることが好ましい。加えて、モアレの抑制効果が高められる観点から、単位画素数は、単位面数と等しいことがさらに好ましい。例えば、９つの視点用の画像が表示される場合には、単一の第１プリズム２１は３つの屈折面２１ａを有することが好ましく、９つの屈折面２１ａを有することがさらに好ましい。
【００２４】
なお、相互に隣り合う屈折面２１ａは、第１方向Ｄ１に延び、且つ、第２方向Ｄ２で曲率を有する曲面を挟んで連結されてもよいし、相互に隣接する屈折面２１ａ間に隙間が形成されていてもよい。
【００２５】
次に、第１プリズム２１の備える９つの屈折面２１ａの形状について図３を参照して説明する。なお、図３には、シリンドリカルレンズの屈折面である半円筒面Ｓｐが、二点鎖線で示されている。半円筒面Ｓｐを備えるシリンドリカルレンズは、第１プリズム２１と同じ屈折率を備え、表示面１２がシリンドリカルレンズの略焦平面である。複数の画素１３の各々から半円筒面Ｓｐに放射される光は、半円筒面Ｓｐでの屈折を通じて、平行光に変換される。半円筒面Ｓｐで変換された平行光の進行する方向は、半円筒面Ｓｐに対する画素１３の相対位置に従って、光源である画素１３ごとに相互に異なる。
【００２６】
図３に示されるように、第１プリズム２１の備える９つの屈折面２１ａの各々は、上述の半円筒面Ｓｐに内接している。半円筒面Ｓｐのうちで単一の屈折面２１ａに対向する部分では、半円筒面Ｓｐにおける複数の接平面の中に、単一の屈折面２１ａと平行な接平面が含まれる。こうした接平面での偏向の態様と、屈折面２１ａでの偏向の態様とが略等しいから、屈折面２１ａで屈折する光の進行方向は、半円筒面Ｓｐの変換する平行光の進行方向を含む。
【００２７】
一方で、９つの屈折面２１ａの各々は、上述の半円筒面Ｓｐとは異なり、曲率を有しておらず、焦平面を形成しない。それゆえに、複数の画素１３の各々から９つの屈折面２１ａの各々に放射された光は、光の放射される角度に従って、半円筒面Ｓｐでの屈折に倣う平行光の進行方向だけでなく、それ以外の方向にも偏向される。結果として、第１プリズム２１の備える９つの屈折面２１ａの各々は、画素１３から放射される光の一部を画素１３ごとの平行光に変換するとは言え、画素１３ごとの平行光の周辺には、同じ画素１３から放射された光が分散する。
【００２８】
なお、９つの屈折面２１ａの各々は、半円筒面Ｓｐに内接する平面だけでなく、半円筒面Ｓｐの接平面であってもよいし、半円筒面Ｓｐに内接する平面と半円筒面Ｓｐの接平面とを含んでいてもよい。
【００２９】
９つの屈折面２１ａの各々では、第２方向Ｄ２の幅である屈折面幅Ｗｒが相互に等しく、９つの屈折面２１ａの各々と９つの画素１３の各々とが対向する。表示面１２の面方向に形成された複数の画素１３の各々では、画素１３から放射される光のうち、通常、表示面１２の法線方向に進行する光の強度が最も強くなる。こうした強い強度の光が、相互に隣り合う屈折面２１ａ同士の連結部分に入射するとなれば、屈折面２１ａで分散される光量が必要以上に高くなり、視点に表示される画像の明度が下がってしまう。
【００３０】
この点で、上述のように、表示面１２の法線方向にて、１つの画素１３と１つの屈折面２１ａとが対向する構成であれば、画素１３から放射される光のうち、最も強い強度の光は、屈折面２１ａの面内に確実に入射する。結果として、視点に表示される画像の明度が下がってしまうことを抑えることが可能にもある。なお、９つの屈折面２１ａの各々では、屈折面幅Ｗｒが相互に異なってもよい。
【００３１】
表示面１２の法線方向と第１方向Ｄ１とが含まれる平面と、９つの屈折面２１ａの各々とのなす角度が屈折面角θａとして設定される。この場合に、９つの第１プリズム２１の各々における屈折面角θａは、第２方向Ｄ２における両端の屈折面２１ａで最も小さく、第２方向Ｄ２における中央の屈折面２１ａで最も大きい。画素１３から放射される光は、通常、光の進行方向が表示面１２の面方向に近くなるに従って、光の強度が弱くなる。複数の第１プリズム２１の各々における第２方向Ｄ２の両端部には、第２方向Ｄ２における中央に比べて、表示面１２の面方向に近い進行方向の光が入射する。
【００３２】
この点で、上述のように、第２方向Ｄ２における両端の屈折面２１ａで屈折面角θａが最も小さくなる構造であれば、第２方向Ｄ２における両端の屈折面２１ａでその面積が最も大きくなる。結果として、第１プリズム２１では、入射する光の強度が弱い屈折面２１ａでその面積が大きくなるから、屈折面２１ａごとに取り扱われる光量に対して、均一化を図ることが可能ともなる。
【００３３】
次に、第１プリズム２１の備える９つの屈折面２１ａでの屈折の態様について図４を参照して説明する。なお、図４では、単一の第１プリズム２１に対向する９つの画素１３のうち、第１プリズム２１の第２方向Ｄ２における中心Ｃに対向する画素１３が第１画素１３ａとして設定され、第１画素１３ａに隣接する画素１３が第２画素１３ｂとして設定される。
【００３４】
図４に示されるように、第１画素１３ａから放射される光は、９つの屈折面２１ａの各々で屈折する。９つの屈折面２１ａの各々における一部分では、第１画素１３ａから放射される光が、第１プリズム２１に対する第１画素１３ａの相対位置に従って平行光Ｌａに変換される。また、第２画素１３ｂから放射される光は、９つの屈折面２１ａの各々でこれもまた屈折する。９つの屈折面２１ａの各々の一部では、第２画素１３ｂから放射される光が、これもまた第１プリズム２１に対する第２画素１３ｂの相対位置に従って平行光Ｌｂに変換される。この際に、第１プリズム２１に対する第１画素１３ａの相対位置と、第１プリズム２１に対する第２画素１３ｂの相対位置とが相互に異なるから、平行光Ｌａの進行方向と平行光Ｌｂとの進行方向とは相互に異なる。例えば、第１画素１３ａに対応する平行光Ｌａの進行方向は、第１プリズム２１から右眼用の視点Ｖａに向き、第２画素１３ｂに対応する平行光Ｌｂの進行方向は、第１プリズム２１から左眼用の視点Ｖｂに向く。
【００３５】
このように、平行光Ｌａと平行光Ｌｂとは、相互に異なる方向に進行するから、第１画素１３ａと第２画素１３ｂとが表示面１２で同時に光を放射するとしても、単一の視点で認識される光とは、結局のところ第１画素１３ａの光と第２画素１３ｂの光とのいずれか一方だけになる。結果として、右眼用の視点Ｖａでの画像を取り扱う最小単位は、第２方向Ｄ２では第１プリズム２１であり、また、左眼用の視点Ｖｂでの画像を取り扱う最小単位も、第２方向Ｄ２では第１プリズム２１であるから、画像を取り扱う最小単位が画素１３である場合と比べて、画像の解像度は低くなる。
【００３６】
ここで、第１画素１３ａと第２画素１３ｂとの間の隙間の境界部分には、画素１３を区画するブラックマトリクスや画素電極に接続される配線等が形成される。右眼用の視点Ｖａで表示される像は、第１画素１３ａが表示する像だけでなく、第１画素１３ａと第２画素１３ｂとの境界部分が表示する像も含む。同様に、左眼用の視点Ｖｂで表示される像は、第２画素１３ｂが表示する像だけでなく、第１画素１３ａと第２画素１３ｂとの境界部分が表示する像も含む。こうした境界部分の像を取り扱う最小単位も、画素１３が表示する画像と同様に、第１プリズム２１の配列方向では第１プリズム２１となる。
【００３７】
この際に、第１プリズム２１の備える９つの屈折面２１ａの各々は、第１画素１３ａから放射される光の一部を平行光Ｌａに変換するとともに、この平行光Ｌａの周辺に、第１画素１３ａから放射された光の残部を分散する。同様に、第１プリズム２１の備える９つの屈折面２１ａの各々は、第２画素１３ｂから放射される光の一部を平行光Ｌｂに変換するとともに、この平行光Ｌｂの周辺に、第２画素１３ｂから放射された光の残部を分散する。
【００３８】
それゆえに、第１プリズム２１が平行光Ｌａのみを出射する場合には、第１画素１３ａの像と同様に、境界部分の像も観察者によって視認されるため、第１画素１３ａの表示部分と境界部分との明度の差であるモアレが生じてしまう。これに対し、上述の屈折面２１ａであれば、その光の分散作用によって、こうしたモアレが右眼用の視点Ｖａで抑えられる。同様に、左眼用の視点Ｖｂにおいても、上述の９つの屈折面２１ａの光の分散作用によってモアレが抑えられる。
【００３９】
なお、９つの屈折面２１ａの各々は、画素１３が配列される行方向Ｘと列方向Ｙとに交差する第１方向Ｄ１に沿って延びる。それゆえに、第１プリズム２１は、行方向Ｘに配列された複数の画素１３の各々から放射される光に指向性を与えるだけでなく、列方向Ｙに配列された複数の画素１３の各々から放射させる光にも指向性を与える。同様に、第１プリズム２１は、行方向Ｘに配列された複数の画素１３の各々から放射される光を分散するだけでなく、列方向Ｙに配列された複数の画素１３の各々から放射させる光も分散する。結果として、上述のモアレが抑えられる効果は、行方向Ｘに配列された複数の画素１３が表示する画像だけでなく、列方向Ｙに配列された複数の画素１３が表示する画像にも及ぶ。
【００４０】
［第２実施形態］
次に、本開示における表示装置の第２実施形態について説明する。なお、第２実施形態は、プリズムの形状が第１実施形態とは異なる。以下では、第１実施形態と第２実施形態との相違点であるプリズムの形状を詳細に説明し、第１実施形態と同様の構成に同じ符号を付してその説明を省略する。
【００４１】
図５に示されるように、レンチキュラレンズ２０の備える第２プリズム３１は、フレネルプリズムである。第２プリズム３１は、表示面１２と対向する側面とは反対側の側面に、第１方向Ｄ１に沿って延びて相互に平行でない平面である９つの屈折面３１ａを備えている。９つの屈折面３１ａでは、相互に隣接する屈折面３１ａ同士が、表示面１２の法線方向に延びる連結面３１ｂで連結されている。ここで、単一の第２プリズム３１における屈折面３１ａの数が単位面数として設定される場合に、第１実施形態と同様に、上述の単位画素数は、単位面数以上でもよいし、単位面数より小さくてもよい。
【００４２】
なお、各視点用の画像の視認性が高められる観点から、単位画素数は単位面数の整数倍であることが好ましい。加えて、モアレの抑制効果が高められる観点から、単位画素数は単位面数と等しいことがさらに好ましい。また、相互に隣り合う屈折面３１ａが曲面を挟んでいてもよいし、相互に隣接する屈折面３１ａ間に隙間が形成されていてもよい。
【００４３】
第２プリズム３１の備える９つの屈折面３１ａの各々は、上述の半円筒面Ｓｐに内接する屈折面２１ａと平行である。それゆえに、複数の画素１３の各々から９つの屈折面３１ａの各々に放射される光は、光の放射される角度に従って、半円筒面Ｓｐでの屈折による平行光の進行方向だけでなく、それ以外の方向にも偏向される。結果として、第２プリズム３１の備える９つの屈折面３１ａの各々は、画素１３から放射される光の一部を画素１３ごとの平行光に変換するとは言え、画素１３ごとの平行光の周辺には、同じ画素１３から放射された光が分散する。
【００４４】
９つの屈折面３１ａの各々では、第２方向Ｄ２の幅である屈折面幅Ｗｒが相互に等しく、９つの屈折面３１ａの各々と９つの画素１３の各々とが対向する。画素１３から放射される光のうち、最も強い強度の光は、屈折面３１ａと画素１３とが対向するから、屈折面３１ａの面内に確実に入射する。結果として、視点に表示される画像の明度が下がってしまうことを抑えることが可能にもある。なお、９つの屈折面３１ａの各々では、屈折面幅Ｗｒが相互に異なってもよい。
【００４５】
９つの屈折面３１ａの各々にて、屈折面３１ａにおける表示面１２側の端部と表示面１２との距離は相互に等しい。９つの屈折面３１ａのうちで第２方向Ｄ２における中央の屈折面３１ａは、表示面１２と平行であって、０番目の屈折面３１ａとして設定される。０番目の屈折面３１ａが含まれる平面が基準面として設定され、各屈折面３１ａの番号は、０番目の屈折面３１ａから第２方向Ｄ２に向けて、１番目、２番目、３番目、４番目と設定されている。
【００４６】
ここで、９つの屈折面３１ａの各々の基準面からの高さが面高さとして設定される。この場合に、１番目の屈折面３１ａでの面高さＨ１は、２番目の屈折面３１ａの面高さＨ２よりも小さく、２番目の屈折面３１ａの面高さＨ２は、３番目の屈折面３１ａの面高さＨ３よりも小さい。そして、３番目の屈折面３１ａの面高さＨ３は、４番目の屈折面３１ａの面高さＨ４よりも小さい。
【００４７】
次に、第２プリズム３１の備える９つの屈折面３１ａでの屈折の態様について図６を参照して説明する。なお、図６では、単一の第２プリズム３１に対向する９つの画素１３のうち、第２プリズム３１の第２方向Ｄ２における中心Ｃに対向する画素１３が第１画素１３ａとして設定され、第１画素１３ａに隣接する画素１３が第２画素１３ｂとして設定される。
【００４８】
図６に示されるように、第１画素１３ａから放射される光は、９つの屈折面３１ａの各々における一部分で、平行光Ｌａに変換される。また、第２画素１３ｂから放射される光は、９つの屈折面３１ａの各々における一部で、平行光Ｌｂに変換される。平行光Ｌａと平行光Ｌｂとは、相互に異なる方向に進行するから、単一の視点で認識される光は、第１画素１３ａの光と第２画素１３ｂの光とのいずれか一方だけになる。結果として、視点に表示される画像を取り扱う最小単位が画素１３である場合と比べて、画像の解像度は低くなる。
【００４９】
この際に、第２プリズム３１の備える９つの屈折面３１ａの各々は、第１画素１３ａから放射される光の一部を平行光Ｌａに変換するとともに、この平行光Ｌａの周辺に、第１画素１３ａから放射された光の残部を分散する。同様に、第２プリズム３１の備える９つの屈折面３１ａの各々は、第２画素１３ｂから放射される光の一部を平行光Ｌｂに変換するとともに、この平行光Ｌｂの周辺に、第２画素１３ｂから放射された光の残部を分散する。
【００５０】
それゆえに、第２プリズム３１が平行光Ｌａのみを出射する場合には、第１画素１３ａの像と同様に、境界部分の像も観察者によって視認されるため、第１画素１３ａの表示部分と境界部分との明度の差であるモアレが生じてしまう。これに対し、上述の屈折面３１ａであれば、その光の分散作用によって、こうしたモアレが右眼用の視点Ｖａで抑えられる。同様に、左眼用の視点Ｖｂにおいても、上述の９つの屈折面３１ａの光の分散作用によってモアレが抑えられる。
【００５１】
（第１実施例）
次に、本開示における表示装置の実施例について説明する。
単位面数、単位画素数、及び、屈折面幅Ｗｒが以下の条件となる第１プリズム２１を用い、特定の第１プリズム２１に対向する画素１３に関し、それらの画素１３から放射されてレンチキュラレンズ２０を通した光の輝度を評価面で測定した。評価面は、表示面１２の表示側に配置されて表示面１２と平行であり、評価面と表示面１２との距離は１ｍである。第１実施例における輝度の測定結果を図７に示す。
【００５２】
なお、輝度の測定では、特定の第１プリズム２１に対向する画素１３が光源として設定されている。図７における横軸は、評価面上の座標軸であって、表示面１２における行方向Ｘと平行な座標軸である。また、図７における横軸では、特定の第１プリズム２１の中心Ｃが評価面に対して表示面１２の法線方向に投影される位置が原点（０ｍｍ）として設定されている。また、図７には、特定の第１プリズム２１に対向する画素１３ごとの輝度と、特定の第１プリズム２１に対向する９つの画素１３の輝度の総和とが示されている。
【００５３】
・単位面数：３
・単位画素数：９
・屈折面幅Ｗｒ：一定
なお、図７では、特定の第１プリズム２１に対向する９つの画素１３のうち、行方向Ｘの一端から順に、第１画素、第２画素、第３画素、第４画素、第５画素、第６画素、第７画素、第８画素、第９画素とする。
【００５４】
図７に示されるように、相互に隣り合う画素１３からの光では、輝度のピーク間が約６５ｍｍであって、人体における一般的な左右の瞳孔間距離に相当する。３つの画素１３からの光の輝度の総和は、原点で最大値を示し、測定位置が原点から離れるに従って緩やかに低下している。すなわち、第１実施例の表示装置では、モアレが５％未満であることが認められた。なお、ここで言うモアレとは、各画素１３からの光の輝度の総和における最大値を総和最大値とし、各画素１３からの光の輝度の総和における振幅の最大値を振幅最大値として、総和最大値に対する振幅最大値の割合のことである。
【００５５】
（第２実施例）
単位面数、単位画素数、及び、屈折面幅Ｗｒが以下の条件となる第１プリズム２１を用い、特定の第１プリズム２１に対向する画素１３に関し、それらの画素１３から放射されてレンチキュラレンズ２０を通した光の輝度を評価面で測定した。第２実施例における輝度の測定結果を図８に示す。なお、第２実施例の評価面は、第１実施例と同じ位置であって、図８における横軸は図７で説明された座標軸と同様である。また、特定の第１プリズム２１に対する各画素１３の相対位置は、第１実施例における第１画素から第９画素と同様である。
【００５６】
・単位面数：７
・単位画素数：９
・屈折面幅Ｗｒ：一定
図８に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、第１実施例よりも大きな振幅で、測定位置が原点から離れるに従って低下している。第２実施例の表示装置では、モアレが５％であることが認められた。
【００５７】
（第３実施例）
単位面数、単位画素数、及び、屈折面幅Ｗｒが以下の条件となる第１プリズム２１を用い、特定の第１プリズム２１に対向する画素１３に関し、それらの画素１３から放射されてレンチキュラレンズ２０を通した光の輝度を評価面で測定した。第３実施例における輝度の測定結果を図９に示す。なお、第３実施例の評価面は、第１実施例と同じ位置であって、図９における横軸は図７で説明された座標軸と同様である。また、特定の第１プリズム２１に対する各画素１３の相対位置は、第１実施例における第１画素から第９画素と同様である。
【００５８】
・単位面数：９
・単位画素数：９
・屈折面幅Ｗｒ：一定
図９に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、第１実施例と同様に測定位置が原点から離れるに従って低下している。第３実施例の表示装置では、第１実施例と同様にモアレが５％未満であることが認められた。
【００５９】
（第４実施例）
単位面数、単位画素数、及び、屈折面幅Ｗｒが以下の条件となる第１プリズム２１を用い、特定の第１プリズム２１に対向する画素１３に関し、それらの画素１３から放射されてレンチキュラレンズ２０を通した光の輝度を評価面で測定した。第４実施例における輝度の測定結果を図１０に示す。なお、第４実施例の評価面は、第１実施例と同じ位置であって、図１０における横軸は図７で説明された座標軸と同様である。また、特定の第１プリズム２１に対する各画素１３の相対位置は、第１実施例における第１画素から第９画素と同様である。
【００６０】
・単位面数：１３
・単位画素数：９
・屈折面幅Ｗｒ：一定
図１０に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、第１実施例よりも大きな振幅で、測定位置が原点から離れるに従って低下している。第４実施例の表示装置では、モアレが１０％であることが認められた。
【００６１】
（第５実施例）
単位面数、単位画素数、屈折面幅Ｗｒ、及び、面高さが以下の条件となる第２プリズム３１を用い、特定の第２プリズム３１に対向する画素１３に関し、それらの画素１３から放射されてレンチキュラレンズ２０を通した光の輝度を評価面で測定した。第５実施例における輝度の測定結果を図１１に示す。なお、第５実施例の評価面は、第１実施例と同じ位置であって、図１１における横軸は図７で説明された座標軸と同様である。また、特定の第２プリズム３１に対する各画素１３の相対位置は、第１実施例における第１画素から第９画素と同様である。
【００６２】
・単位面数：９
・単位画素数：９
・屈折面幅Ｗｒ：一定
・面高さ：Ｈ１＜Ｈ２＜Ｈ３＜Ｈ４
図１１に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、測定位置が原点から離れるに従って低下している。第５実施例の表示装置では、第１実施例と同様にモアレが５％未満であることが認められた。
【００６３】
（第６実施例）
単位面数、単位画素数、屈折面幅Ｗｒ、及び、面高さが以下の条件となる第２プリズム３１を用い、特定の第２プリズム３１に対向する画素１３に関し、それらの画素１３から放射されてレンチキュラレンズ２０を通した光の輝度を評価面で測定した。第６実施例における輝度の測定結果を図１２に示す。なお、第６実施例の評価面は、第１実施例と同じ位置であって、図１２における横軸は図７で説明された座標軸と同様である。また、特定の第２プリズム３１に対する各画素１３の相対位置は、第１実施例における第１画素から第９画素と同様である。
【００６４】
・単位面数：９
・単位画素数：９
・屈折面幅Ｗｒ：第２方向Ｄ２の両端に向けて小さくなる。
【００６５】
・面高さ：一定（Ｈ１＝Ｈ２＝Ｈ３＝Ｈ４）
図１２に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、第１実施例よりも大きな振幅で、測定位置が原点から離れるに従って低下している。第６実施例の表示装置では、モアレが６％であることが認められた。
【００６６】
（比較例１）
複数のシリンドリカルレンズが配列されたレンチキュラレンズを用い、特定のシリンドリカルレンズに対向する画素１３に関し、それらの画素１３から放射されてレンチキュラレンズを通した光の輝度を評価面で測定した。比較例における輝度の測定結果を図１３に示す。なお、比較例の評価面は、第１実施例と同じ位置であって、図１３における横軸は図７で説明された座標軸と同様である。また、特定のシリンドリカルレンズに対する各画素１３の相対位置は、第１実施例における第１画素から第９画素と同様である。
【００６７】
図１３に示されるように、相互に隣り合う画素１３からの光では、輝度のピーク間が第１実施例と同様に約６５ｍｍであって、人体における一般的な左右の瞳孔間距離に相当する。９つの画素１３からの光の輝度の総和は、原点で最大値を示し、第１実施例から第６実施例よりも大きな振幅で、測定位置が原点から離れるに従って低下している。比較例の表示装置では、モアレが３０％であることが認められた。
【００６８】
このように、第１プリズム２１、あるいは、第２プリズム３１を有するレンチキュラレンズによれば、シリンドリカルレンズを有するレンチキュラレンズと比べて、モアレが抑えられることが認められた。しかも、第１実施例から第４実施例によれば、単位画素数が単位面数の整数倍であるときに、モアレを抑える効果がより大きくなることが認められた。さらに、第３実施例と第５実施例とによれば、相互に形状が異なる第１プリズム２１と第２プリズム３１のいずれであっても略同様の効果が得られることが認められた。加えて、第５実施例と第６実施例とによれば、各屈折面３１ａにおける屈折面幅Ｗｒが相互に等しい構造は、各屈折面３１ａにおける面高さが相互に等しい構造と比べて、モアレを抑える効果がより大きくなることが認められた。
【００６９】
なお、第１実施例から第６実施例では、いずれもモアレの抑制が認められたが、第３実施例と第５実施例では、各視点での輝度のピークの強度が他の実施例よりも高く、且つ、隣り合う視点での輝度のピークの重なりが小さいことが認められた。それゆえに、単位画素数と単位面数とが等しく設定されることによって、１つの視点用の画像と他の視点用の画像との識別性が高められることが認められた。
【００７０】
（表示装置の変形例）
次に、本開示における表示装置の変形例について説明する。
表示装置の変形例のうち、第１変形例は、第１実施形態の表示装置と比べて、第１プリズム２１の配置の態様が異なる。第２変形例と第３変形例とは、第１実施形態と比べて屈折面の形状と数とが異なる。第４変形例から第６変形例は、第２実施形態と比べて屈折面の形状、及び、屈折面の数の少なくとも一方が異なる。第７変形例は、各実施形態と比べて、画素に対するプリズムの相対位置が異なる。第８変形例は、各実施形態と比べて、表示パネルに対するレンチキュラレンズの相対位置が異なる。第９変形例では、各実施形態と比べて、各プリズムから出射される光の方向が異なる。第１０変形例では、各実施形態と比べて、各プリズムの備える屈折面の構成が異なる。以下では、これらの相違点を詳細に説明する。
【００７１】
（第１変形例）
図１４に示されるように、第１プリズム２１では、表示面１２と対向する側面が、第１方向Ｄ１に沿って延びて相互に平行でない平面である９つの屈折面２１ａを備えている。第１プリズム２１の第２方向Ｄ２における中心Ｃに対向する画素１３が第１画素１３ａとして設定される場合に、第１画素１３ａから放射される光は、まず、９つの屈折面２１ａの各々で屈折する。９つの屈折面２１ａの各々における一部分では、第１画素１３ａから放射される光が、第１プリズム２１に対する第１画素１３ａの相対位置に従って平行光Ｌａに変換される。また、第２画素１３ｂから放射される光は、これもまた第１プリズム２１に対する第２画素１３ｂの相対位置に従って平行光Ｌｂに変換される。
【００７２】
この際に、第１プリズム２１の備える９つの屈折面２１ａの各々は、第１実施形態と同様に、第１画素１３ａから放射される光の一部を平行光Ｌａに変換するとともに、この平行光Ｌａの周辺に、第１画素１３ａから放射された光の残部を分散する。同様に、第１プリズム２１の備える９つの屈折面２１ａの各々は、第２画素１３ｂから放射される光の一部を平行光Ｌｂに変換するとともに、この平行光Ｌｂの周辺に、第２画素１３ｂから放射された光の残部を分散する。それゆえに、屈折面２１ａによる光の分散作用によって、こうしたモアレが右眼用の視点Ｖａで抑えられる。同様に、左眼用の視点Ｖｂにおいても、上述の９つの屈折面２１ａの光の分散作用によってモアレが抑えられる。
【００７３】
（第２変形例）
図１５に示されるように、プリズム４１は、上述の第１方向Ｄ１に延びる多角柱形状をなし、第１方向Ｄ１に延びる相互に平行でない平面である３つの屈折面４１ａを備えている。３つの屈折面４１ａの各々の屈折面幅Ｗｒは、相互に等しく、３つの屈折面４１ａと上述の半円筒面Ｓｐとの間の隙間は、図３で説明された第１プリズム２１が形成する隙間よりも大きい。
【００７４】
なお、第２変形例における単位画素数は、２つでもよいし、３つ以上でもよい。３つの屈折面４１ａの各々では、屈折面幅Ｗｒが相互に異なってもよい。この際に、３つの屈折面４１ａのうちで上述の第２方向Ｄ２における中間の屈折面４１ａは、プリズム４１における第２方向Ｄ２の一端に偏って配置されて、上述の表示面１２に対して傾斜してもよい。また、３つの屈折面４１ａでは、相互に隣り合う屈折面４１ａが曲面を挟んでいてもよいし、相互に隣り合う屈折面４１ａ間に隙間が形成されていてもよい。要するに、半円筒面Ｓｐに内接する３つの屈折面４１ａが備えられる構成であればよい。こうした構成によれば、上述の第１プリズム２１と比べて屈折面４１ａの数が少ないため、プリズムの幅が同一であるという前提では、各屈折面４１ａの大きさが大きくなる。それゆえに、例えば、レンチキュラレンズが射出成形やＵＶ成形等の金型を用いた方法によって成型される場合、金型の成形がより簡単になる。加えて、屈折面の数が少ない分だけ金型の形成に必要な加工数が少なくなるため、金型の寸法における精度もより高くなる。結果として、プリズム４１から構成されるレンチキュラレンズの成形がより簡単になり、且つ、レンチキュラレンズの寸法における精度が高められる。
【００７５】
（第３変形例）
図１６に示されるように、プリズム５１は、上述の第１方向Ｄ１に延びる多角柱形状をなし、第１方向Ｄ１に延びる相互に平行でない平面である４つの屈折面５１ａを備えている。４つの屈折面５１ａの各々の屈折面幅Ｗｒは、相互に等しく、プリズム５１における上述の第２方向の中心では、上向きに屈曲している。４つの屈折面５１ａと上述の半円筒面Ｓｐとの間の隙間は、第２変形例のプリズム４１が形成する隙間より小さく、且つ、図３で説明された第１プリズム２１が形成する隙間よりも大きい。
【００７６】
なお、第３変形例における単位画素数は、単位面数以上でもよいし、単位面数より小さくてもよい。４つの屈折面４１ａの各々では、相互に隣り合う屈折面４１ａが曲面を挟んでいてもよいし、相互に隣接する屈折面４１ａ間に隙間が形成されていてもよい。
【００７７】
偶数の種類の画素、例えば、赤色、緑色、青色、及び白色の４種の画素を含む構成である場合、画素が余ることを抑えるようにレンチキュラレンズの幅を設計することが容易となるため、視点数も偶数であることが好ましい。この点で、上記４種の画素を含む構成では、プリズムを構成する屈折面の数が偶数であることによって、屈折面の数が奇数である構成と比べて、モアレの抑制に加えて、レンチキュラレンズの設計を容易にすることが可能である。
【００７８】
（第４変形例）
図１７に示されるように、プリズム６１は、フレネルプリズムである。プリズム６１は、第１方向Ｄ１に延びる相互に平行でない平面である５つの屈折面６１ａと、隣り合う屈折面６１ａを繋ぐ４つの連結面６１ｂとを備えている。
【００７９】
なお、第４変形例における単位画素数は、５つ以上でもよいし、５つより小さくてもよい。５つの屈折面６１ａの各々では、屈折面幅Ｗｒが相互に異なってもよい。この際に、５つの屈折面６１ａのうちで上述の第２方向Ｄ２における中央の屈折面６１ａは、プリズム６１における第２方向Ｄ２の一端に偏って配置されて、上述の表示面１２に対して傾斜してもよい。また、５つの屈折面６１ａでは、相互に隣り合う屈折面４１ａが曲面を挟んでいてもよいし、相互に隣接する屈折面４１ａ間に隙間が形成されていてもよい。要するに、半円筒面Ｓｐに内接する５つの屈折面と平行な屈折面６１ａが備えられる構成であればよい。こうした構成によれば、上述の第２プリズム３１と比べて、屈折面６１ａの数が少ないため、プリズムの幅が同一であるという前提では、各屈折面６１ａの大きさが大きくなる。それゆえに、第２変形例と同様、例えば、レンチキュラレンズが射出成形やＵＶ成形等の金型を用いた方法によって成形される場合、金型の成形がより簡単になる。加えて、屈折面の数が少ない分だけ金型の形成に必要な加工数が少なくなるため、金型の寸法における精度もより高くなる。結果として、プリズム６１から構成されるレンチキュラレンズの成形がより簡単になり、且つ、レンチキュラレンズの寸法における精度が高められる。
【００８０】
（第５変形例）
図１８に示されるように、プリズム７１は、フレネルプリズムである。プリズム７１は、第１方向Ｄ１に延びる相互に平行でない平面である８つの屈折面７１ａと、隣り合う屈折面７１ａを繋ぐ６つの連結面７１ｂとを備えている。８つの屈折面７１ａの各々の屈折面幅Ｗｒは、相互に等しく、プリズム７１における上述の第２方向の中心では、上向きに屈曲している。
【００８１】
なお、第５変形例における単位画素数は、単位面数以上でもよいし、単位面数より小さくてもよい。８つの屈折面７１ａの各々では、相互に隣り合う屈折面７１ａが曲面を挟んでいてもよいし、相互に隣接する屈折面４１ａ間に隙間が形成されていてもよい。こうした構成であれば、上記第３変形例と同様、偶数の種類の画素を含む構成において、屈折面の数が奇数である構成と比べて、モアレの抑制に加えて、レンチキュラレンズの設計を容易にすることができる。
【００８２】
（第６変形例）
図１９に示されるように、プリズム８１は、フレネルプリズムである。プリズム８１は、第１方向Ｄ１に延びる相互に平行でない平面である９つの屈折面８１ａと、隣り合う屈折面８１ａを繋ぐ連結面８１ｂとを備えている。９つの屈折面８１ａの各々における高さである面高さＨ５は、相互に等しい。一方、プリズム８１における屈折面幅Ｗｒは、相互に異なり、第２方向Ｄ２の中心から離れた屈折面８１ａほど、屈折面幅Ｗｒが小さい。こうした構成によれば、プリズムの幅が同一、且つ、屈折面の数が同一であるという前提では、屈折面幅Ｗｒが同じであるプリズム、すなわち上述の第２プリズム３１と比べて上記面高さの最大値を小さくすることができる。
【００８３】
（第７変形例）
図２０に示されるように、第１プリズム２１の備える９つの屈折面２１ａの各々では、上述の第１方向Ｄ１が画素１３の配列される列方向Ｙとして設定されて、且つ、上述の第２方向Ｄ２が画素１３の配列される行方向Ｘとして設定されている。こうした構成であっても、第１プリズム２１は、少なくとも行方向Ｘに配列された画素１３から放射される光を分散する。それゆえに、モアレが抑えられる効果は、行方向Ｘにて得られる。
【００８４】
（第８変形例）
図１に示される表示パネルが液晶表示パネルである場合、レンチキュラレンズは、表示パネルよりも観察者側に配置されるのではなく、白色のＬＥＤや有色のＬＥＤ等の光源と表示パネルとの間に配置されてもよい。こうした構成によれば、レンチキュラレンズによって予め分散された光が液晶表示パネルに照射されることで、モアレの発生が抑えられる。また、レンチキュラレンズの光学面が光源あるいは表示パネルによって保護されるため、レンチキュラレンズの光学特性を保つことが可能にもなる。
【００８５】
（第９変形例）
レンチキュラレンズを構成する複数のプリズムの各々は、平面から構成され、且つ、相互に平行でない２以上の屈折面を備えるものであればよく、単一の画素から放射される光の一部を全ての２以上の屈折面で単一の方向に偏向しなくともよい。こうした構成であっても、平面から構成される各プリズムによって光源からの光が分散されることによって、モアレが生じることを抑えることは可能である。
【００８６】
（第１０変形例）
レンチキュラレンズを構成する複数のプリズムの各々は、平面から構成されるものであればよく、異なるプリズム同士が相互に平行な屈折面を含む構成であってもよい。こうした構成であっても、平面から構成される各プリズムによって光源からの光が分散されることによって、モアレが生じることを抑えることは可能である。
【００８７】
［表示装置の製造方法］
次に、上述の表示装置の製造方法、特に、表示装置の備えるレンチキュラレンズの製造方法について説明する。
【００８８】
上述の表示装置１０の備えるレンチキュラレンズ２０は、例えば以下の手順で製造される。まず、レンチキュラレンズ２０を構成するプリズムが１つの方向に複数並べられた金型が作成される。そして、レンチキュラレンズ２０の形成材料である光を透過する樹脂フィルム材が加熱され、この加熱された樹脂フィルム材に対して金型が所定の圧力にて押し付けられる。これにより、金型の形状が、樹脂フィルム材に対して熱転写されることで、所定形状のプリズムを複数備えるレンチキュラレンズ２０が形成される。
【００８９】
なお、金型は、ロール状に形成されてもよいし、平板状に形成されてもよい。ロール状の金型を用いることによって、いわゆるロールツーロール方式によってレンチキュラレンズ２０を形成することが可能になる。それゆえに、平板状の金型を用いた製造方法と比べて、より大きな樹脂フィルム材を処理することができ、ひいては、より大型のレンチキュラレンズシートを形成することが可能になる。
【００９０】
また、レンチキュラレンズ２０は、こうした熱転写に限らず、例えば、金型に対して加熱した樹脂材料を充填する射出成形によって形成されてもよい。またあるいは、レンチキュラレンズ２０は、加熱された樹脂フィルム材に対してプレス機で圧力をかける熱プレス成形によって形成されてもよい。さらには、レンチキュラレンズ２０は、液状の紫外線硬化性樹脂を金型に流し込んだ後、紫外線を照射することによって所定の形状を形成するＵＶ成形によって形成されてもよいし、金型と樹脂シートとの間に塗布した紫外線硬化性樹脂に対して紫外線を照射する２Ｐ法によって形成されてもよい。また、レンチキュラレンズ２０は、樹脂等で形成されたプリズムからなる固定形状レンズに限らず、液晶素子の配向を制御することによって形成されるプリズムからなる液晶レンズや、屈折率の異なる２種の液体の界面形状を制御することによって形成されるプリズムからなる液体レンズ等の可変形状レンズであってもよい。
【００９１】
そして、形成したレンチキュラレンズ２０が予め形成された表示パネルに取り付けられることで、表示装置が製造される。
［電子機器］
次に、上述の表示装置を備える電子機器について説明する。なお、表示装置は、さまざまな用途に適用可能であって、特に限定されるものではない。そこで、以下では、例えば、表示装置が表示部を備える電子機器に適用された構成について説明するものの、その構成はあくまでも一例であり、適宜の変更が可能である。
【００９２】
図２１に示されるように、電子書籍端末１００の筐体１０１には、上述の表示装置を含む表示部１０２と、表示部１０２における表示の態様を操作する操作ボタン１０３とが搭載されている。
【００９３】
図２２に示されるように、パーソナルコンピューター１１０の下側筐体１１１には、キーボード１１２と操作部１１３とが搭載され、パーソナルコンピューター１１０の上側筐体１１４には、上述の表示装置を含む表示部１１５が搭載されている。
【００９４】
図２３に示されるように、テレビジョン１２０の支持台１２１に取り付けられた筐体１２２には、上述の表示装置を含む表示部１２３が搭載されている。
図２４に示されるように、デジタルスチルカメラ１３０の筐体１３１の１つの面側には、撮像対象を写すレンズ１３２と、デジタルスチルカメラ１３０に撮像させるための撮像ボタン１３３とが形成されている。また、図２５に示されるように、筐体１３１の他の面側には、上述の表示装置を含む表示部１３４と、操作ボタン１３５とが搭載されている。
【００９５】
図２６に示されるように、デジタルビデオカメラ１４０の筐体１４１には、レンズ１４２と、操作ボタン１４３とが搭載されている。また、筐体１４１には、連結部１４４を介して表示部用筐体１４５が連結され、表示部用筐体１４５には、上述の表示装置を含む表示部１４６が搭載されている。
【００９６】
図２７に示されるように、携帯電話端末１５０の備える下側筐体１５１には、操作ボタン１５２が搭載され、また、下側筐体１５１には、連結部１５３を介して上側筐体１５４が連結されている。上側筐体１５４には、上述の表示装置を含む表示部１５５が搭載されている。また、図２８に示されるように、上側筐体１５４における表示部１５５とは対向する面には、上述の表示装置を含む裏面表示部１５６が搭載されている。
【００９７】
図２９に示されるように、携帯ゲーム機１６０の備える筐体１６１には、操作ボタン１６２と、上述の表示装置を含む表示部１６３とが搭載されている。
以上説明したように、本開示の技術によれば以下の効果を得ることができる。
【００９８】
・視点用の画像を複数表示する際に、画素１３の像と境界部分の像との明度の差であるモアレが、屈折面２１ａ，３１ａにおける光の分散作用によって抑えられる。
・単位画素数が単位面数の整数倍となる部分を第１プリズム２１及び第２プリズム３１が含むため、単位画素数が単位面数の整数倍ではないプリズムに比べて、上述のモアレの抑制が高められる。
【００９９】
・単位画素数が単位面数と等しい部分を第１プリズム２１及び第２プリズム３１が含むため、単位画素数が単位面数の整数倍ではないプリズムに比べて、上述のモアレの抑制が高められて、且つ、１つの視点用の画像と他の視点用の画像との識別を十分に担保することが可能となる。
【０１００】
・複数の屈折面２１ａ，３１ａの各々が相互に等しい屈折面幅Ｗｒを備えるため、屈折面２１ａ，３１ａと画素１３とが対向しやすく、画素１３から放射される光のうち、最も強い強度の光が、屈折面２１ａ，３１ａの面内に確実に入射する。結果として、視点に表示される画像の明度が下がってしまうことを抑えることが可能にもある。
【０１０１】
・第２プリズム３１によれば、多角柱状の第１プリズム２１に比べて、レンチキュラレンズの厚さを薄くすることが可能となる。
・また、第２プリズム３１の厚さが薄くなるから、第２プリズム３１から出射された光の進行が、その第２プリズム３１と隣り合う第２プリズム３１によって遮られることが抑えられる。
【０１０２】
・第１プリズム２１と第２プリズム３１とは、行方向Ｘに配列された画素１３から放射される光を分散するだけでなく、列方向Ｙに配列された画素１３から放射させる光も分散する。それゆえに、モアレが抑えられる効果は、行方向Ｘに配列された画素１３によって表示される画像だけでなく、列方向Ｙに配列された画素１３によって表示される画像にも及ぶ。
【０１０３】
なお、本開示における表示装置は、以下のような構成とすることもできる。
（１）複数の画素を含む表示パネルと、前記表示パネルに対向して配置されたレンチキュラレンズとを備え、前記レンチキュラレンズは、第１方向に沿って延び、且つ、前記第１方向とは異なる第２方向に並ぶ複数のプリズムを備え、前記複数のプリズムの各々に対向する前記画素の数が、前記第２方向の各々において２つ以上であり、前記複数のプリズムの各々は、平面からなり、且つ、相互に平行でない２以上の屈折面を備える表示装置。
【０１０４】
（２）前記第２方向における前記複数のプリズムの各々に対向する前記画素の数が、前記複数のプリズムの各々が備える屈折面の数の整数倍となる部分を含む前記（１）に記載の表示装置。
【０１０５】
（３）前記第２方向における前記複数のプリズムの各々に対向する前記画素の数が、前記複数のプリズムの各々が備える屈折面の数と等しい部分を含む前記（１）又は（２）に記載の表示装置。
【０１０６】
（４）前記複数のプリズムの各々にて、前記２以上の屈折面が前記第２方向において相互に等しい間隔で配置される前記（１）から（３）のいずれか１つに記載の表示装置。
（５）前記複数のプリズムの各々が、多角柱形状に形成されている前記（１）から（４）のいずれか１つに記載の表示装置。
【０１０７】
（６）前記複数のプリズムの各々が、フレネルプリズムである前記（１）から（５）のいずれか１つに記載の表示装置。
（７）前記第１方向が、前記第２方向の法線方向とは異なる前記（１）から（６）のいずれか１つに記載の表示装置。
【０１０８】
（８）前記複数のプリズムの各々は、単一の画素から放射される光の一部を全ての前記２以上の屈折面で単一の方向に偏向するように形成されている前記（１）から（７）のいずれか１つに記載の表示装置。
【０１０９】
（９）前記レンチキュラレンズは樹脂材料からなる前記（１）から（８）のいずれか１つに記載の表示装置。
【符号の説明】
【０１１０】
θ…傾斜角、Ｃ…中心、Ｘ…行方向、Ｙ…列方向、θａ…屈折面角、Ｄ１…第１方向、Ｄ２…第２方向、Ｈ１，Ｈ２，Ｈ３，Ｈ４，Ｈ５…面高さ、Ｌａ，Ｌｂ…平行光、ＬＨ…信号線、ＬＷ…走査線、Ｓｐ…半円筒面、Ｖａ，Ｖｂ…視点、Ｗｐ…プリズム幅、Ｗｒ…屈折面幅、１０…表示装置、１１…表示パネル、１２…表示面、１３…画素、１３ａ…第１画素、１３ｂ…第２画素、１４…信号線駆動回路、１５…走査線駆動回路、１６…タイミング制御部、１７…映像信号処理部、１８…フレームメモリ、２０…レンチキュラレンズ、２１…第１プリズム、２１ａ，３１ａ，４１ａ，５１ａ，６１ａ，７１ａ，８１ａ…屈折面、３１…第２プリズム、３１ｂ…連結面、４１，５１，６１，７１，８１…プリズム、８１ｂ…連結面、１００…電子書籍端末、１０１，１２２，１３１，１４１，１６１…筐体、１０２，１１５，１２３，１３４，１４６，１５５，１６３…表示部、１０３，１３５，１４３，１５２，１６２…操作ボタン、１１０…パーソナルコンピューター、１１１，１５１…下側筐体、１１２…キーボード、１１３…操作部、１１４，１５４…上側筐体、１２０…テレビジョン、１２１…支持台、１３０…デジタルスチルカメラ、１３２，１４２…レンズ、１３３…撮像ボタン、１４０…デジタルビデオカメラ、１４４…連結部、１４５…表示部用筐体、１５０…携帯電話端末、１５３…連結部、１５６…裏面表示部、１６０…携帯ゲーム機。
【図１】
2013235029.tif 000003
【図２】
2013235029.tif 000004
【図３】
2013235029.tif 000005
【図４】
2013235029.tif 000006
【図５】
2013235029.tif 000007
【図６】
2013235029.tif 000008
【図７】
2013235029.tif 000009
【図８】
2013235029.tif 000010
【図９】
2013235029.tif 000011
【図１０】
2013235029.tif 000012
【図１１】
2013235029.tif 000013
【図１２】
2013235029.tif 000014
【図１３】
2013235029.tif 000015
【図１４】
2013235029.tif 000016
【図１５】
2013235029.tif 000017
【図１６】
2013235029.tif 000018
【図１７】
2013235029.tif 000019
【図１８】
2013235029.tif 000020
【図１９】
2013235029.tif 000021
【図２０】
2013235029.tif 000022
【図２１】
2013235029.tif 000023
【図２２】
2013235029.tif 000024
【図２３】
2013235029.tif 000025
【図２４】
2013235029.tif 000026
【図２５】
2013235029.tif 000027
【図２６】
2013235029.tif 000028
【図２７】
2013235029.tif 000029
【図２８】
2013235029.tif 000030
【図２９】
2013235029.tif 000031